(57)【要約】【課題】電気接続箱のケースに並設する複数のヒューズ収容部間のピッチを小さくして電気接続箱の小型化および高密度化を図る。【解決手段】複数のヒューズ収容部１２に挿入する一部のヒューズ３０の入力端子３１は、ケース１１内に収容したバスバー２０に間隔をあけて形成したヒューズ接続用タブ２２と接続する一方、該ヒューズ接続用タブ２２に挟まれた位置の他のヒューズ３０の入力端子３１は電線２５の端末に接続した端子２６と接続していることを特徴とする。【選択図】図３
2010068615.tif 000002
【特許請求の範囲】
【請求項１】
電気接続箱に複数のヒューズ収容部を並設して設け、これらヒューズ収容部に挿入する一部のヒューズの入力端子は、電気接続箱内に収容したバスバーに間隔をあけて形成したヒューズ接続用タブと接続する一方、該ヒューズ接続用タブに挟まれた位置の他のヒューズの入力端子は電線端末に接続した端子と接続していることを特徴とする電気接続箱。
【請求項２】
前記バスバーに設けたヒューズ接続用タブは、バスバーの基板部に対して直角方向に屈曲させて形成しており、
前記バスバーのヒューズ接続用タブと前記電線端末に接続した端子とを、並設するヒューズの入力端子に交互に接続し、全てのヒューズの入力端子をバスバーのヒューズ接続用タブに接続する場合より、並設するヒューズ収容部間のピッチを小さくしている請求項１に記載の電気接続箱。
【発明の詳細な説明】
【技術分野】
【０００１】
本発明は、電気接続箱に関し、詳しくは、複数のヒューズ収容部を並設した電気接続箱において、これらヒューズ収容部間のピッチを小さくして電気接続箱の小型化および高密度化を図るものである。
【背景技術】
【０００２】
この種の電気接続箱として、例えば、実開平７−８９６６号公報において図５に示す電気接続箱が提供されている。該電気接続箱１はケース２に複数のヒューズ収容部３を設け、これらヒューズ収容部３に取り付けられるヒューズ４と接続するためにケース２内にバスバー５を収容し、該バスバー５から突設したヒューズ接続用タブ５ｂを中継端子６を介してヒューズ４の入力端子４ａと接続している。
【０００３】
前記バスバー５は、並列状態で取り付けられる前記複数のヒューズ４の複数の入力端子４ａと接続するために、図６に示すように、一枚の導電性金属板を切り起こし、基板部５ａに対して直角方向に屈曲させて複数のヒューズ接続用タブ５ｂを並列状態に形成している。
【０００４】
従って、このタブ曲げの必要から、ヒューズ接続用タブ５ｂ間のピッチＰは一定以上小さくすることができないため、ヒューズ収容部３間のピッチも大きくなりスペースをとってしまうことが電気接続箱の小型化および高密度化を図るうえで課題となっていた。
【０００５】
【特許文献１】実開平７−８９６６号公報
【発明の開示】
【発明が解決しようとする課題】
【０００６】
本発明は前記問題に鑑みてなされたもので、ケースに複数のヒューズ収容部を並設している電気接続箱において、これらヒューズ収容部間のピッチを小さくして電気接続箱の小型化および高密度化を図ることを課題としている。
【課題を解決するための手段】
【０００７】
前記課題を解決するために、本発明は、電気接続箱に複数のヒューズ収容部を並設して設け、これらヒューズ収容部に挿入する一部のヒューズの入力端子は、電気接続箱内に収容したバスバーに間隔をあけて形成したヒューズ接続用タブと接続する一方、該ヒューズ接続用タブに挟まれた位置の他のヒューズの入力端子は電線端末に接続した端子と接続していることを特徴とする電気接続箱を提供している。
【０００８】
前記バスバーに設けたヒューズ接続用タブは、バスバーの基板部に対して直角方向に屈曲させて形成しており、
前記バスバーのヒューズ接続用タブと前記電線端末に接続した端子とを、並設するヒューズの入力端子に交互に接続し、全てのヒューズの入力端子をバスバーのヒューズ接続用タブに接続する場合より、並設するヒューズ収容部間のピッチを小さくしている。
【０００９】
このように、ヒューズの入力端子と接続する回路としてバスバーと電線とを併用し、一定ピッチ以上小さくすることができないバスバーのヒューズ接続用タブ間のスペースを、電線端末の端子挿着スペースとして利用することにより、全てのヒューズの入力端子をバスバーのヒューズ接続用タブと接続する場合に比して、ヒューズ収容部間のピッチを小さく設定することが可能となるため、ヒューズ収容のための全体スペースを縮小でき、電気接続箱の小型化および高密度化が可能となる。
【００１０】
具体的には、バスバーのヒューズ接続用タブと接続するヒューズの収容部を「Ａ」とし、電線端末の端子と接続するヒューズの収容部を「Ｂ」とすると、Ａ−Ｂ−Ａ−Ｂ・・・と交互に配置した場合のピッチは、Ａ−Ａ−Ａ−Ａ・・・と全てのヒューズ収容部をＡで構成した場合のピッチよりも１．５ｍｍ〜５ｍｍ減少できる。
【００１１】
電線端末の端子と接続するヒューズの収容部は、バスバーと接続するヒューズの収容部の位置よりズラして配置し、バスバー基板部の収容位置から離隔させて互いに絶縁することが好ましい。例えば、バスバーと接続するヒューズの収容部と、電線端末の端子と接続するヒューズの収容部とを１つずつ交互に並設する場合は、これらヒューズ収容部を平面視において千鳥状に配置し、電線端末の端子と接続するヒューズの収容部とバスバー基板部の収容部との距離を、バスバーと接続するヒューズの収容部とバスバー基板部の収容部との距離よりも大とする。
【００１２】
前記ヒューズの出力端子は、電線端末の端子と接続することが好ましい。
該電線端末の端子は圧着端子が好ましいが、圧接端子を使用してもよい。
【００１３】
前記ヒューズは、容量が５〜３０アンペアの小型ヒューズであり、前記電気接続箱には３個〜２０個程度のヒューズ収容部を並設している。
【００１４】
本発明の電気接続箱は、自動車に配索されるワイヤハーネスと接続される電気接続箱として好適に用いられる。
【発明の効果】
【００１５】
上述したように、本発明の電気接続箱によれば、複数のヒューズの入力端子と接続する回路としてバスバーと電線とを併用すると共に、一定以上狭められないバスバーのヒューズ接続用タブ間のスペースを、電線端末の端子の挿着スペースとして利用し、一部のヒューズはバスバーのヒューズ接続用タブと接続し、他のヒューズは前記電線端末の端子と接続することにより、全てのヒューズをバスバーのヒューズ接続用タブと接続する場合に比して、ヒューズ収容部間のピッチが小さくなり、必要スペースを削減できるため、電気接続箱の小型化および高密度化を図ることができる。
【発明を実施するための最良の形態】
【００１６】
以下、本発明の実施形態を図面を参照して説明する。
図１乃至図３に、本発明の第一実施形態に係る電気接続箱１０を示す。
電気接続箱１０は、自動車に配索されるワイヤハーネスに接続されるものであり、図１に示すように、ケース１１に並設した複数のヒューズ収容部１２にミニヒューズ３０を取り付けている。
【００１７】
前記ミニヒューズ３０は、その入力端子３１を、前記ケース１１の内部に収容固定しているバスバー２０およびケース１１内に配線している電線２５と接続し、分岐回路を構成するものである。
【００１８】
前記バスバー２０は、その基板部２１を、ケース１１の周壁１１ａに沿った内側に設けたバスバー収容部１８に垂直に挿入する縦バスバーからなる。該縦バスバー２０は前記基板部２１と、該基板部２１の下端から下方に延在させた延在部２３と、該延在部２３の片側下方から、該基板部２１と延在部２３に対して直角方向に屈曲させて上向きに突出させたヒューズ接続用タブ２２を備え、該ヒューズ接続用タブ２２をピッチＰ１をあけて複数設けている。このピッチＰ１は、後述するヒューズ収容部１２間のピッチＰ２の２倍となるように設定している。
【００１９】
前記複数のヒューズ収容部１２は、前記バスバー２０と接続するミニヒューズ３０を収容するバスバー接続用ヒューズ収容部１２Ａと、前記電線２５と接続する電線接続用ヒューズ収容部１２Ｂとからなる。図２および図３に示すように、ケース１１の前記バスバー収容部１８に沿った内側に、バスバー接続用ヒューズ収容部１２Ａと電線接続用ヒューズ収容部１２Ｂとを小さいピッチＰ２をあけて一つずつ交互に並設している。電線接続用ヒューズ収容部１２Ｂは、前記バスバー収容部１８から離隔する方向に位置をずらし、バスバー接続用ヒューズ収容部１２Ａと電線接続用ヒューズ収容部１２Ｂとを平面視千鳥状に配置している。
【００２０】
前記各ヒューズ収容部１２の底壁１３の下部には、図２に示すように、仕切壁１４を介して入力端子用キャビティ１５と出力端子用キャビティ１６を設けている。
【００２１】
バスバー接続用ヒューズ収容部１２Ａの入力端子用キャビティ１５Ａには、図３に示すように、底壁１３に設けた入力端子挿入穴１７からミニヒューズ３０の入力端子３１を挿入し、下側からはバスバー２０のヒューズ接続用タブ２２を挿入し、該キャビティ１５Ａ内に収容する中継端子３５を介して、ミニヒューズ３０の入力端子３１とバスバー２０のヒューズ接続用タブ２２とを接続している。
【００２２】
電線接続用ヒューズ収容部１２Ｂの入力端子用キャビティ１５Ｂには、下側から電線２５の端末に接続した圧着端子２６を挿入し、該圧着端子２６を、底壁１３に設けた入力端子挿入穴１７から挿入したミニヒューズ３０の入力端子３１と接続している。
【００２３】
前記全てのミニヒューズ３０の出力端子３２は、前記出力端子用キャビティ１６内で、ケース１１内に引き込まれる電線の端末に接続した圧着端子（図示せず）と接続される。
【００２４】
前記構成の電気接続箱１０は、図３に示すように、隣接するバスバー接続用ヒューズ収容部１２Ａ、１２Ａ間のスペースに電線接続用ヒューズ収容部１２Ｂを設け、並列に取り付けられるミニヒューズ３０の入力端子３１を、バスバー２０および電線２５に交互に接続することにより、一定寸法以上狭めることができないバスバー２０の隣接するヒューズ接続用タブ２２、２２間のスペースを、電線２５の端末に接続した端子２６の挿着スペースとして有効利用することができる。従って、ヒューズ収容部１２間のピッチＰ２は、図４に示すように全てのミニヒューズ３０の入力端子３１をバスバー２０のヒューズ接続用タブ２２に接続する場合のヒューズ収容部１２（１２Ａ）間のピッチＰ３に比して小さくすることができ、ケース１１に占めるミニヒューズ用の全体の収容スペースを縮小できるため、電気接続箱１０の小型化および高密度化を図ることができる。
【００２５】
また、前記電線接続用ヒューズ収容部１２Ｂは、バスバー収容部１８から離隔する方向に位置をずらして設けているため、電線２５の端末の端子２６をヒューズ収容部１２Ｂ内に挿着する際に、該端子２６とバスバー２０とが接触することを防止できる。
【図面の簡単な説明】
【００２６】
【図１】本発明の第一実施形態に係る電気接続箱を下面側からみた要部分解斜視図である。
【図２】図１に示すケースのヒューズ収容部の下面図である。
【図３】ヒューズ収容部にバスバーのヒューズ接続用タブと電線端末の端子とを挿着した状態を示す断面図である。
【図４】全てのミニヒューズの入力端子をバスバーのタブと接続する場合のヒューズ収容部の構造を示す断面図である。
【図５】従来例を示す図である。
【図６】図５に示すバスバーの斜視図である。
【符号の説明】
【００２７】
１０  電気接続箱
１１  ケース
１２  ヒューズ収容部
１２Ａ  バスバー接続用ヒューズ収容部
１２Ｂ  電線接続用ヒューズ収容部
２０  バスバー
２２  ヒューズ接続用タブ
３０  ミニヒューズ
３１  入力端子
３５  中継端子
【図１】
2010068615.tif 000003
【図２】
2010068615.tif 000004
【図３】
2010068615.tif 000005
【図４】
2010068615.tif 000006
【図５】
2010068615.tif 000007
【図６】
2010068615.tif 000008
【手続補正書】
【提出日】平成21年6月30日(2009.6.30)
【手続補正１】
【補正対象書類名】明細書
【補正対象項目名】００１８
【補正方法】変更
【補正の内容】
【００１８】
前記バスバー２０は、その基板部２１を、ケース１１の周壁１１ａに沿った内側に設けたバスバー収容部１８に垂直に挿入する縦バスバーからなる。該バスバー２０の基板部２１と、該基板部２１の下端から下方に延在させた延在部２３と、該延在部２３の片側下方から、該基板部２１と延在部２３に対して直角方向に屈曲させて上向きに突出させたヒューズ接続用タブ２２を備え、該ヒューズ接続用タブ２２をピッチＰ１をあけて複数設けている。このピッチＰ１は、後述するヒューズ収容部１２間のピッチＰ２の２倍となるように設定している。前記基板部２１にはケース１１の周壁１１ａに設けたロック爪（図示せず）が挿入されるロック穴２１ａが２つの前記ヒューズ接続用タブ２２の間に設けられている。
【手続補正２】
【補正対象書類名】明細書
【補正対象項目名】００１９
【補正方法】変更
【補正の内容】
【００１９】
前記複数のヒューズ収容部１２は、前記バスバー２０と接続するミニヒューズ３０を収容するバスバー接続用ヒューズ収容部１２Ａと、前記電線２５と接続する電線接続用ヒューズ収容部１２Ｂとからなる。図２および図３に示すように、前記バスバー接続用ヒューズ収容部１２Ａにはケース１１の前記バスバー収容部１８に沿った内側にロック固定した前記バスバー２０の基板部２１の下方から上向きにピッチＰ１をあけて突出する前記ヒューズ接続用タブ２２を収容している。該バスバー接続用ヒューズ収容部１２Ａと電線接続用ヒューズ収容部１２Ｂとを小さいピッチＰ２をあけて一つずつ交互に並設している。電線接続用ヒューズ収容部１２Ｂは、前記バスバー収容部１８から離隔する方向に位置をずらし、バスバー接続用ヒューズ収容部１２Ａと電線接続用ヒューズ収容部１２Ｂとを平面視千鳥状に配置している。電線接続用ヒューズ収容部１２Ｂを設けていないバスバー接続用ヒューズ収容部１２Ａの間のケース１１の周壁１１ａに、バスバー２０の基板部２１に設けた前記ロック穴２１ａに挿入されるロック爪（図示せず）が設けられている。
【手続補正３】
【補正対象書類名】図面
【補正対象項目名】図１
【補正方法】変更
【補正の内容】
【図１】
2010068615.tif 000009